(57)【特許請求の範囲】
【請求項１】
設定される同調周波数のテレビジョン放送波を受信するチューナ部を有する放送受信機であって、
ディジタル音声放送波を受信する受信手段と、
前記ディジタル音声放送波から、その放送波を送信する送信機を識別する送信機識別信号を復調する復調手段と、
テレビジョン放送のネットワーク毎に、そのネットワークに属する送信機が送信するテレビジョン放送波の送信周波数と当該送信機を識別する情報とを互いに対応づけて記憶する記憶手段と、
前記テレビジョン放送波の受信品質に基づいてネットワークフォローの起動指令を発生する起動手段と、
前記起動指令に応答して、前記記憶手段の記憶内容から、前記送信機識別信号に基づき現在受信している放送のネットワークに属しかつ現在受信している放送波の周波数とは異なる受信可能なテレビジョン放送波の送信周波数を選択し、その選択された送信周波数を前記チューナ部に設定する制御手段と、を有することを特徴とする放送受信機。
【請求項２】
前記ディジタル音声放送波は、ＤＡＢシステム放送波であることを特徴とする請求項１に記載の放送受信機。
【請求項３】
前記制御手段は、前記送信機識別信号が示す送信機と同一または当該送信機の地理的位置において近接する送信機を識別する情報に対応する送信周波数を選択することを特徴とする請求項１または２記載の放送受信機。
【請求項４】
前記起動手段は、前記テレビジョン放送波の受信電界強度を検出する検出手段を有し、前記受信電界強度が所定値以下となった場合に前記起動指令を発生することを特徴とする請求項１ないし３のうちいずれか１つに記載の放送受信機。
【請求項５】
前記制御手段は、選択された放送周波数のうち、対応するテレビジョン放送波が最良の受信品質を呈するものの１つを前記チューナ部に設定することを特徴とする請求項１ないし４のうちいずれか１つに記載の放送受信機。
【発明の詳細な説明】
【０００１】
【発明の属する技術分野】
本発明は、放送受信機に関し、特にテレビジョン放送波を受信する放送受信機に関する。
【０００２】
【従来の技術】
ＲＤＳ（ラジオデータシステム）は、ＦＭオーディオ信号とこれを送信する放送局又はその放送に関するデータ信号とが多重された放送波を送受信して利用者及び受信機に様々な機能や利便性を実現させるようにしている。かかるＲＤＳに関連する技術文献としては、特開平７−５８５９８号公報、特開平８−７９０１８号公報及び特開平８−７９０１６号公報などが挙げられる。
【０００３】
こうした先行技術からも分かるように、ＲＤＳ受信機の主たる機能の１つは、ネットワークフォローと呼ばれる機能である。典型的なネットワークフォローは、受信機が現在受信している放送波の番組を受信環境が変化しても一定に保つような受信制御を行うものである。より詳しくは、受信環境が悪化した場合に、放送波に多重されているデータ信号に基づいて、当該現在受信の放送波と同じ番組を提供しかつより高い受信品質を呈するものと目される他の放送波を選択し受信するようにしている。
【０００４】
ここで、互いに同じ番組を提供する当該現在受信の放送波を送信している放送局と他の放送波を送信している放送局とは、同一の放送ネットワーク局に属されるのが普通であり、このように同一番組を追従する受信制御をネットワークフォローと呼んでいるのである。ＲＤＳにおいては、データ信号中のＰＩ（Programme Identification）コードと呼ばれるネットワーク及び番組識別可能な情報を用いて、或いはこの情報と共にデータ信号中の、同一ネットワークに属する他の放送局が送信する放送波の周波数情報を用いてネットワークフォローを実現している。
【０００５】
しかしながら、このようなネットワークフォローは、音声のみによる番組を提供する音声番組放送波にしか適用されないものである。すなわち、画像による番組を提供する一般のテレビジョン番組放送波において同様のネットワークフォローを実現するものではない。
技術的には、テレビジョン放送波に対してもＲＤＳと同様にネットワーク識別可能なデータ信号を付加的に送信し受信側でこの付加されたデータ信号を利用すれば、テレビ番組のネットワークフォローを実現可能であるが、この送信形態を採るために放送システム全体を大幅に変更せざるを得ず多大なコストを生じてしまうこととなる。
【０００６】
【発明が解決しようとする課題】
本発明は、上述した点に鑑みてなされたものであり、その目的とするところは、簡単にしてテレビジョン放送波に対するネットワークフォロー機能を発揮させることのできる放送受信機を提供することにある。
【０００８】
【課題を解決するための手段】
本発明による一態様の放送受信機は、設定される同調周波数のテレビジョン放送波を受信するチューナ部を有する放送受信機であって、ディジタル音声放送波を受信する受信手段と、前記ディジタル音声放送波から、その放送波を送信する送信機を識別する送信機識別信号を復調する復調手段と、テレビジョン放送のネットワーク毎に、そのネットワークに属する送信機が送信するテレビジョン放送波の送信周波数と当該送信機を識別する情報とを互いに対応づけて記憶する記憶手段と、前記テレビジョン放送波の受信品質に基づいてネットワークフォローの起動指令を発生する起動手段と、前記起動指令に応答して、前記記憶手段の記憶内容から、前記送信機識別信号に基づき現在受信している放送のネットワークに属しかつ現在受信している放送波の周波数とは異なる受信可能なテレビジョン放送波の送信周波数を選択し、その選択された送信周波数を前記チューナ部に設定する制御手段と、を有することを特徴としている。
【０００９】
前記ディジタル音声放送波は、ＤＡＢシステム放送波とすることができる。前記制御手段は、前記送信機識別信号が示す送信機と同一または当該送信機の地理的位置において近接する送信機を識別する情報に対応する送信周波数を選択するようにすることができる。
【００１１】
上述した態様の放送受信機においては、前記起動手段は、前記テレビジョン放送波の受信電界強度を検出する検出手段を有し、前記受信電界強度が所定値以下となった場合に前記起動指令を発生するようにすることができる。また、前記制御手段は、選択された放送周波数のうち、対応するテレビジョン放送波が最良の受信品質を呈するものの１つを前記チューナ部に設定することもできる。
【００１２】
【発明の実施の形態】
以下、本発明の実施の形態を図面を参照しつつ詳細に説明する。
図１は、本発明の第１実施例による放送受信機の概略構成を示している。
この受信機は、ディジタル音声信号を含む所定フォーマットのデータ信号を有する放送波を送信しこれを受信するシステムの１つである、欧州規格（Ｅｕｒｅｋａ  １４７）に準拠したディジタル音声放送（以下、ＤＡＢと称する）システムに適合する受信機に本発明を適用した例である。
【００１３】
図１において、ＤＡＢ受信系Ｒ１は、受信アンテナにより捕捉された受信信号が供給されるＤＡＢチューナ部１０をフロントエンドとして備える。このＤＡＢチューナ部１０は、制御部６０から供給される周波数設定信号が示す周波数に同調し、その同調周波数のＤＡＢ信号を選択的に受信する。ＤＡＢチューナ部１０により受信されたＤＡＢ信号は、ＤＡＢ信号処理部２０に供給される。
【００１４】
ＤＡＢチューナ部１０はまた、かかる受信ＤＡＢ信号に基づいて、信号強度信号としてのいわゆるＳメータ出力信号や同期信号としてのヌルシンボル検出信号を発生する機能を有しており、Ｓメータ出力信号を制御部６０に、ヌルシンボル検出信号を同期部５０に供給する。
ＤＡＢ信号処理部２０は、所定の同期制御の下でＤＡＢシステム固有の復調処理などの信号処理を行い、これにより得られる音声データ信号を音声デコーダ３０に送る。ＤＡＢ信号処理部２０における同期制御は、同期部５０によって司られる。同期部５０は、ＤＡＢチューナ部１０からのヌルシンボル検出信号の他、ＤＡＢ信号処理部２０において検出される位相基準シンボルを受け取りかつこれに基づいて、ＤＡＢ信号処理部２０において必要な同期化のための制御信号を発生するとともに、制御部６０には同期検出信号を供給する。
【００１５】
音声デコーダ３０は、ＤＡＢシステムに準拠する復号処理（例えばデータ伸長処理を含む）をＤＡＢ信号処理部２０からの音声データに施し、これにより得られるディジタル音声信号をＤ／Ａ変換器４０に供給する。Ｄ／Ａ変換器４０は、ディジタル音声信号をアナログ化し、これにより得られるアナログ音声信号を図示せぬ音声出力系に供給する。音声出力系には、当該アナログ音声信号に対応する音響出力のための処理が含まれる。
【００１６】
ＤＡＢ信号処理部２０はまた、ＤＡＢシステム特有の付加的データ信号であるＴＩＩ（送信機識別信号）を検出し、これを制御部６０に供給する。制御部６０は、このＴＩＩを用い、またメモリ７０と共働して本実施例に特有のテレビネットワーク機能を実現する。ＴＩＩ及びテレビネットワーク機能については後に詳述する。
【００１７】
ＤＡＢ受信機の基本的構成としては、特開平９−２１９６５４号や特開平９−３１２６２７号、特開平９−２３８０８９号公報などにも開示があり、これらを参照することもできる。
以上はＤＡＢ受信系Ｒ１のハードウェア構成について説明したが、本受信機には、この受信系Ｒ１の他に、これに組み合わされる形でテレビジョン放送を受信するための映像放送受信系Ｒ２が設けられる。
【００１８】
映像放送受信系Ｒ２は、受信アンテナにより捕捉された受信信号が供給されるＴＶチューナ部１００をフロントエンドとして備える。このＴＶチューナ部１００は、制御部６０から供給される周波数設定信号が示す周波数に同調し、その同調周波数のテレビジョン信号を選択的に受信する。チューナ部１００により受信されたテレビジョン信号は、ビデオ再生回路２００に供給される。
【００１９】
ビデオ再生回路２００には、一般のテレビジョン受信機に採用されている種々の回路が適用可能である。例えば、ＴＶチューナ部１００から供給される中間周波信号を増幅する映像中間周波（ＶＩＦ）増幅回路、このＶＩＦ出力から映像信号の復調をなす映像検波回路、この検波出力を増幅する映像増幅回路、この増幅出力の色復調及び再生回路などがこのビデオ再生回路２００に適用される。ビデオ再生回路２００の出力は、図示せぬ映像出力系に供給される。
【００２０】
かかるビデオ再生回路２００からは、音声信号を含む信号が得られ、これが音声再生回路３００に供給される。音声再生回路３００にも、一般のテレビジョン受信機に採用されている種々の回路が適用可能である。例えば、上述した一例のビデオ再生回路２００におけるＶＩＦ増幅回路２０１から供給される信号から音声中間周波信号を復調する音声中間周波（ＡＩＦ）検波回路、このＡＩＦ出力からＦＭ復調をなして音声信号を生成するＦＭ検波回路、この音声信号を増幅する音声増幅回路などがこの音声再生回路３００に適用される。音声再生回路３００の出力は、図示せぬ音声出力系に供給される。
【００２１】
かかる一例の音声再生回路３００におけるＦＭ検波回路３０１の出力音声信号は、電界強度検出回路４００の入力とされる。電界強度検出回路４００は、映像放送受信系Ｒ２の受信品質としてこの音声信号の例えばＳ／Ｎを測定しその測定結果に応じた信号を電界強度検出信号として制御部６０に供給する。注記するに、この電界強度検出信号は、音声系に基づいた受信品質を表す信号であるが、本実施例では間接的に映像系の受信品質を表すものとしてテレビネットワークフォローの起動をなすために使われている。但し、このような電界強度検出回路４００によらず、他の手法により映像系の受信品質を示す信号を生成してこれをテレビネットワークフォローの起動に使うようにしても良いし、映像系及び音声系の双方に基づいて受信品質を表す信号を生成するようにしても良い。本例においては、電界強度検出回路４００は、テレビジョン放送波の受信品質に基づいてテレビネットワークフォローの起動指令を発生する起動手段の一部を担う。
【００２２】
次に、先述したＤＡＢ信号処理部２０において検出されるＴＩＩについて説明する。
図２には、ＤＡＢシステムにおいて割り当てられるＴＩＩの概念が示されている。
ＤＡＢシステムは、単一周波数ネットワーク（ＳＦＮ）の形態を採るものであり、図示の如く適度に分散した固定局としての送信機Ｔ１，Ｔ２，Ｔ３に同一の送信周波数（ｆ＝ｆ０）を割り当てて広い受信エリアｒ123を確保するものである。
【００２３】
この場合、送信機は、その送信機固有のＴＩＩが割り当てられており、個々に独自のＴＩＩをＤＡＢ信号に含ませてこれを送信する。例えば送信機Ｔ１のＴＩＩは“０１”、送信機Ｔ２のＴＩＩは“０２”、送信機Ｔ３のＴＩＩは“０３”といった割当がなされる。なお、ＴＩＩの情報は、送信機の識別のみならず、地理的な情報すなわち送信機の所在位置（送信位置）を示す例えば緯度及び経度の情報として認識されうるものである。
【００２４】
受信機側では、このように割り当てられるＴＩＩを受信し解析することによって、受信したＤＡＢ信号がどの送信機から送信されたものかが分かる。このことは、受信機が、その受信したＴＩＩによって受信機自身のおおよその存在位置を認識できることを意味している。換言すれば、受信機は、受信したＤＡＢ信号を送信した送信機をＴＩＩにより識別できるので、その受信位置が、（受信可能なほどに）当該ＴＩＩに対応する送信機の存在位置に近いことが推測できるのである。
【００２５】
なお、各送信機は、異なる周波数の複数のＤＡＢ信号及びテレビジョン信号を送信可能となっているので、ＴＩＩとその送信機により送信されるＤＡＢ信号及びテレビジョン信号の周波数とは、１つのＴＩＩに対して複数のＤＡＢ信号及びテレビジョン信号の周波数が対応する関係を持つものである。
例えば特開平９−２１９６５８号公報においては、かかるＴＩＩに関連づけた周波数リストをメモリに記憶する技術が開示されている。これによれば、上記制御部６０がＤＡＢチューナ部１０の同調制御を適宜行って各ＴＩＩに対応づけられたＤＡＢ信号及びテレビジョン信号の周波数のリストをメモリ７０に記憶しておく態様が導かれ、図３に示されるような周波数リストが得られる。
【００２６】
図３に示されるように、ＴＩＩ毎にＤＡＢ信号の周波数とテレビジョン信号の周波数とが記憶される。したがって、このような記憶内容からは、ＴＩＩ＝０１の送信機から周波数ａ１，ａ２，…の各ＤＡＢ信号及び周波数Ａ１，Ａ２，…の各テレビジョン信号が送信され、ＴＩＩ＝０２の送信機からは周波数ｂ１，ｂ２，…の各ＤＡＢ信号及び周波数Ｂ１，Ｂ２，…の各テレビジョン信号が送信され、その他のＴＩＩについても同様に、対応する周波数の信号が送信されることが分かる。
【００２７】
本実施例においては、送信位置情報としてのＴＩＩとともに、ネットワークと周波数情報とを関連づけてメモリ７０に記憶し、この記憶内容をテレビネットワークフォローに使用するようにしている。
テレビネットワークフォローに用いられるメモリ７０の記憶内容は、図４に示される。
【００２８】
メモリ７０には、ネットワーク毎にテレビジョン信号の周波数とＴＩＩとが記憶される。したがって、例えば周波数Ｂ３のテレビジョン信号はネットワーク局βの番組放送を担うことが分かるし、周波数Ｅ１を参照すれば、これがネットワーク局αに属するものであることが分かる。逆に言えば、ネットワーク局αの番組放送を提供する放送波の周波数はＡ１，Ｃ５，Ｅ１，Ｆ７及びＨ３であり、ネットワーク局βの番組放送を提供する放送波の周波数はＧ４，Ａ６及びＢ３であることを直ちにこのメモリ７０から読み取ることができるのである。
【００２９】
また、ＴＩＩに対応してテレビジョン信号の周波数を読み取ることができるので、該当ネットワーク局に対応する周波数のなかでも、現在受信しているＴＩＩに対応する周波数や当該ＴＩＩの送信位置に近い送信位置を示すＴＩＩに対応する周波数を選択的に読み取ることが可能となる。例えば周波数Ａ２は、ＴＩＩ＝０１に対応し、ネットワーク局αの番組を提供する周波数Ａ２のテレビジョン信号はＴＩＩ＝０１の送信機から送信されることが認識できるのである。
【００３０】
次に、このような記憶内容を有するメモリ７０を用いて行われる本実施例のテレビネットワークフォローの動作を説明する。
図５は、かかる動作フローを示しており、受信機があるチャンネルのテレビ放送を受信している状況において制御部６０が実行する処理のプログラムとして周期的に呼び出されるサブルーチンの形で表されている。
【００３１】
図５において、制御部６０は、このサブルーチンに移行すると、先ず受信電界強度が所定値以上か否かを判別する（ステップＳ１）。ここで判別される受信電界強度は、上述した電界強度検出回路４００の出力信号の値に基づいている。制御部６０は、受信電界強度が所定値以上であることを判別すると、現状の受信状態を維持するべく、このサブルーチンを終了する。
【００３２】
ステップＳ１において、受信電界強度が所定値よりも小さいことを判別すると、制御部６０は、ネットワークフォローを実際に実行するフローに移り、その最初の処理として現在の受信電界強度をそのときの受信周波数に対応させて内部メモリに記憶する（ステップＳ２）。
次いで制御部６０は、ＴＩＩの取り込みを行う（ステップＳ３）。ＴＩＩの取り込みは、ＤＡＢ受信系Ｒ１の動作が伴う。すなわち、制御部６０は、ＤＡＢ信号処理部２０により得られる受信信号中のＴＩＩを取り込むのである。これにより制御部６０は、現在受信しているＤＡＢ信号を送信している送信機のＴＩＩ、したがってその送信位置を認識することができる。
【００３３】
次に制御部６０は、ＴＩＩに変更が生じたか否かを判別する（ステップＳ４）。この処理は、前回取り込んだＴＩＩと今回取り込んだＴＩＩとの比較によってなされる。
ＴＩＩに変更があれば、ネットワークフォロー対象の放送局情報を更新させるべく、メモリ７０の記憶内容に基づいたフォロー対象局の選択処理のためのメモリ検索を行い（ステップＳ５）、変更がなければメモリ検索処理を飛び越してステップＳ６の選局処理へと移行する。
【００３４】
ステップＳ５の処理について詳述すると、いま、現在受信しているテレビ放送波の周波数が図４に示されるＡ２であった場合を考える。この場合、メモリ７０の記憶内容から当該テレビ放送波がネットワーク局αに属していることが認識される。したがって、制御部６０は、Ａ２以外にもネットワーク局αの番組を提供する放送波の周波数Ｃ５，Ｅ１，Ｆ７，Ｈ３だけを読み取ることができ、これらを全て、ネットワークフォローのためのステップＳ６の選局処理の対象として選択することができる。
【００３５】
しかし本実施例ではさらに、受信品質が高い可能性のもの或いは確実に受信できる可能性のものだけを選局処理の対象とすべく、ＴＩＩに基づいてこれら代替周波数Ｃ５，Ｅ１，Ｆ７，Ｈ３の中からさらなる条件を満たしたものだけを選択している。すなわち、変更後のＴＩＩが例えば“０２”であったときには、このＴＩＩ＝０２が示す送信位置により近い送信位置（より具体的には、ＴＩＩ＝０２が示す位置からの送信波を受信可能な位置から受信できるであろうと目される送信波を提供する送信位置）を示すＴＩＩに対応している周波数をメモリ７０の記憶内容から選択するのである。この場合、このような条件を満たすＴＩＩが例えば“０３”、“０５”であれば、制御部６０は、これらに対応する周波数Ｃ５、Ｅ１を選択し、これらをネットワークフォロー対象局情報とする。
【００３６】
ステップＳ６では、このネットワークフォロー対象局の選局を順次行う。上述した例においては、制御部６０は、最初に周波数Ｃ５を同調周波数としてＴＶチューナ部１００に設定し、その設定後における受信電界強度の値を周波数Ｃ５の情報に対応づけて上記内部メモリに記憶する（ステップＳ７）。その後、選局対象局についての全ての選局動作が終わったかどうかを確認し（ステップＳ８）、終わっていなければ再度ステップＳ６に移行して次の選局を行う。この場合、周波数Ｅ１を同調周波数としてＴＶチューナ部１００に設定し、その設定後における受信電界強度の値を周波数Ｅ１に対応づけて上記内部メモリに記憶する。
【００３７】
こうして選局対象の周波数につき全ての選局動作が終了すると、選局の結果得られた受信電界強度の評価をすべく最適判断を行う（ステップＳ９）。詳述すると、ステップＳ２による記憶情報を含め上記内部メモリに記憶しておいた受信電界強度の値のうち最も大きなものを判別しこれに対応する周波数を選択するという処理がなされる。
【００３８】
選択された周波数は、ステップＳ１０においてネットワークフォローによる最終的な選局動作に使われる。すなわち、制御部６０は、選択された周波数をＴＶチューナ部１００に設定し、以後再びこのサブルーチンが呼び出されかつステップＳ１における受信電界強度の低下判断がなされるまでその周波数についての選局動作を継続することとなる。
【００３９】
以上説明したように、第１実施例においては、ＤＡＢ受信系Ｒ１がＴＶ受信系Ｒ２に組み合わされ、予めテレビジョン放送におけるネットワーク局毎にテレビジョン信号の周波数情報とＴＩＩとを記憶しておき、ＤＡＢ信号から得たＴＩＩに基づいて受信可能なテレビジョン信号の周波数情報を認識するようにしている。これにより、本来音声のみの番組放送にしか使われていなかったＴＩＩを活用して的確かつ簡単にしてテレビジョン放送のネットワークフォローを実現することができる。
【００４０】
図６は、本発明の第２実施例による放送受信機の概略構成を示している。
この放送受信機は、いわゆるナビゲーションシステムに本発明を適用した例である。
図６において、ナビゲーションシステムＮ１は、それぞれ周知の角度センサ５０１、走行距離センサ５０２及びＧＰＳ（Grobal Positioning System）５０３による位置情報検出及び補正手段を備える。かかる位置情報検出及び補正手段により、当該システムの地理的位置情報を緯度及び経度（ｘ，ｙ）にて取得することができ、これをバスラインを介してナビゲーションシステム制御部５０５に逐次転送することができる。
【００４１】
ナビゲーションシステムＮ１はまた、ＣＤ−ＲＯＭドライブ５０４を備え、表示に必要な地図情報などを確保しており、上述した位置情報や図示せぬ操作部からの指令に応じて必要な情報をバスラインを介してナビゲーションシステム制御部５０５に転送するようにしている。
バスラインにはまた、画像及び音声再生回路５０６が接続されている。この回路５０６は、システム制御部５０５によって指示された画像表示及び音声出力をなすための回路を含んでいる。
【００４２】
ナビゲーションシステム制御部５０５は、当該システム全体の種々様々な制御を司る。例えばＣＤ−ＲＯＭドライブ５０４の読取制御や再生回路５０６への情報転送及び再生指示を行うための制御が挙げられるが、特に本実施例の特徴に関係のある動作は、上述した位置情報検出及び補正手段により得た位置情報（ｘ，ｙ）をテレビジョン受信系Ｒ２側の制御部６０´に転送する点である。
【００４３】
制御部６０´は、図１に示した制御部６０と、ＤＡＢ受信系Ｒ１の制御をなす点を除けば基本的に同様の機能を持つものであり、第１実施例におけるＴＩＩの取り込みに代わり本実施例ではナビゲーションシステムＮ１からの位置情報（ｘ，ｙ）の取り込みをなすようにしている。
ナビゲーションシステムの典型的構成例としては、特開平９−２９７０３７号公報などを参照することもできる。
【００４４】
かかるナビゲーションシステムに組み合わされる映像放送受信系Ｒ２は、第１実施例のものと同等である。但し、テレビネットワークフォローに使われるメモリ７０の記憶内容が若干異なる。
図７は、そのメモリ７０の記憶内容を示している。本実施例においては、送信位置情報としての緯度経度情報をネットワーク局とテレビジョン信号の周波数情報とに関連づけてメモリ７０に記憶し、この記憶内容をテレビネットワークフォローに使用するようにしている。
【００４５】
したがって、緯度経度情報に対応してテレビジョン信号の周波数を読み取ることができるので、該当ネットワーク局に対応する周波数のうちでも、現在位置に近い送信位置を示す緯度経度情報に対応する周波数を選択的に読み取ることが可能となる。例えば周波数Ａ２は、（ｘ２，ｙ２）の送信位置に対応し、ネットワーク局αの番組を提供する周波数Ａ２のテレビジョン信号は（ｘ２，ｙ２）の送信位置から送信されることが認識できるのである。
【００４６】
次に、このような記憶内容を有するメモリ７０を用いて行われる第２実施例のテレビネットワークフォローの動作を説明する。
図８は、かかる動作フローを示しており、受信機があるチャンネルのテレビ放送を受信している状況において制御部６０´が実行する処理のプログラムとして周期的に呼び出されるサブルーチンの形で表されている。
【００４７】
図８においては、図５に示したサブルーチンにおけるステップと同等の処理を行うステップには同一の符号が付されている。したがって、ステップＳ３Ａ及び４Ａを除けば、基本的動作は図５において説明した動作と同様であり、上述の説明によって明らかである。
ステップＳ３Ａ及び４Ａ並びにこれに適合した処理を行うステップＳ５は、第２実施例固有の処理形態である。
【００４８】
ステップＳ３Ａにおいては、ステップＳ２後の処理として、ナビゲーションシステムＮ１からの位置情報（ｘ，ｙ）の取り込みをなす。これにより制御部６０´は、現在受信位置を認識することができる。
次に制御部６０´は、その位置情報に変更が生じたか否かを判別する（ステップＳ４Ａ）。この処理は、前回取り込んだ位置情報と今回取り込んだ位置情報との比較によってなされる。
【００４９】
位置情報に変更があれば、ネットワークフォロー対象の放送局情報を更新させるべく、メモリ７０の記憶内容に基づいたフォロー対象局の選択処理のためのメモリ検索を行い（ステップＳ５）、変更がなければメモリ検索処理を飛び越してステップＳ６の選局処理へと移行する。
ここでのステップＳ５の処理について詳述すると、いま、現在受信しているテレビ放送波の周波数が図７に示されるＡ２であった場合を考える。この場合、メモリ７０の記憶内容から当該テレビ放送波がネットワーク局αに属していることが認識される。したがって、制御部６０´は、Ａ２以外にもネットワーク局αの番組を提供する放送波の周波数Ｃ５，Ｅ１，Ｆ７，Ｈ３だけを読み取ることができ、これらを全て、ネットワークフォローのためのステップＳ６の選局処理の対象として選択することができる。
【００５０】
しかし本実施例ではさらに、受信品質が高い可能性のもの或いは確実に受信できる可能性のものだけを選局処理の対象とすべく、取り込んだ位置情報に基づいてこれら代替周波数Ｃ５，Ｅ１，Ｆ７，Ｈ３の中からさらなる条件を満たしたものだけを選択している。
すなわち、変更後の位置情報が例えば（ｘ１，ｙ１）であったときには、この（ｘ１，ｙ１）が示す位置により近い送信位置（より具体的には、（ｘ１，ｙ１）が示す位置から受信できるであろうと目される送信波を提供する送信位置）に対応している周波数をメモリ７０の記憶内容から選択するのである。この場合、このような条件を満たす送信位置が例えば（ｘ１，ｙ１）、（ｘ１，ｙ２）であれば、制御部６０´は、これらに対応する周波数Ｃ５、Ｅ１を選択し、これらをネットワークフォロー対象局情報とする。
【００５１】
かくして、第２実施例においては、ナビゲーションシステムＮ１がＴＶ受信系Ｒ２に組み合わされ、予めテレビジョン放送におけるネットワーク局毎にテレビジョン信号の周波数情報とその送信位置とを記憶しておき、ナビゲーションシステムＮ１から得た受信位置情報に基づいて受信可能なテレビジョン信号の周波数情報を認識するようにしている。これにより、本来ナビゲーションにおける位置認識にしか使われていなかった位置情報を活用して的確かつ簡単にしてテレビジョン放送のネットワークフォローを実現することができる。
【００５２】
図９は、本発明の第３実施例による放送受信機の概略構成を示している。
この放送受信機は、先述したＲＤＳ受信機に本発明を適用した例に相当するものである。
図９において、ＲＤＳ受信系Ｒ３は、受信アンテナにより捕捉された受信信号が供給されるＲＤＳチューナ部１０Ｂをフロントエンドとして備える。このＲＤＳチューナ部１０Ｂは、制御部６０´´から供給される周波数設定信号が示す周波数に同調し、その同調周波数の信号を選択的に受信して中間周波数（ＩＦ）信号に変換する。ＲＤＳチューナ部１０ＢからのＩＦ信号は、ＩＦ増幅器２０Ｂに供給され増幅される。
【００５３】
ＩＦ増幅器２０Ｂにより増幅されたＩＦ信号は、ＦＭ検波器３０Ｂにおいて音声信号に復調される。このＦＭ検波器３０Ｂの復調出力は、ステレオ復調回路４０Ｂにおいてステレオ放送の場合には左右チャンネルの音声信号に分離され、図示せぬ音声出力系に供給される。
ＦＭ検波器３０Ｂの復調出力信号はまた、ＲＤＳ信号検出回路５０Ｂに供給される。ＲＤＳ信号検出回路５０Ｂは、かかる復調出力信号からＲＤＳ放送波に多重されているデータ信号を検出し再生する。再生されたデータ信号は、制御部６０´´に送られる。
【００５４】
制御部６０´´は、このデータ信号から種々の放送関連情報を得てＲＤＳ特有の受信制御をなすとともに、その情報のうちのＰＩコードとそれに含まれる地域コードを用い、またメモリ７０と共働して本実施例に特有のテレビネットワーク機能を実現する。地域コードは、受信した放送波を送信している送信局の地理的位置を示すものであり、本実施例においては先述したＴＩＩに等価な情報として用いられる。
【００５５】
かかるＲＤＳ受信系において得られるＰＩコードや地域コードを含め、ＲＤＳ受信機の基本的形態としては、特開平７−５８５９８号や特開平８−７９０１８号、特開平８−７９０１６号公報などにも開示があり、これらを参照することもできる。
制御部６０´´は、テレビネットワークフォローを実行する制御を行う点では図１及び図６に示した制御部６０及び６０´と基本的に同様の機能を持つものであり、本実施例では該ネットワークフォローのためにＲＤＳ受信系Ｒ３からの地域コードの取り込みをなすようにしている。
【００５６】
かかるＲＤＳ受信系に組み合わされる映像放送受信系Ｒ２は、第１及び第２実施例のものと同等である。但し、テレビネットワークフォローに使われるメモリ７０の記憶内容が若干異なる。
図１０は、そのメモリ７０の記憶内容を示している。本実施例においては、送信位置情報としての地域コードをネットワーク局とテレビジョン信号の周波数情報とに関連づけてメモリ７０に記憶し、この記憶内容をテレビネットワークフォローに使用するようにしている。
【００５７】
したがって、地域コードに対応してテレビジョン信号の周波数を読み取ることができるので、該当ネットワーク局に対応する周波数のうちでも、現在位置に近い送信位置を示す地域コードに対応する周波数を選択的に読み取ることが可能となる。例えば周波数Ａ２は、“０１Ａ”の送信位置に対応し、ネットワーク局αの番組を提供する周波数Ａ２のテレビジョン信号は“０１Ａ”の送信位置から送信されることが認識できる。
【００５８】
次に、このような記憶内容を有するメモリ７０を用いて行われる第３実施例のテレビネットワークフォローの動作を説明する。
図１１は、かかる動作フローを示しており、受信機があるチャンネルのテレビ放送を受信している状況において制御部６０´´が実行する処理のプログラムとして周期的に呼び出されるサブルーチンの形で表されている。
【００５９】
図１１においては、図５及び図８に示したサブルーチンにおけるステップと同等の処理を行うステップには同一の符号が付されている。したがって、ステップＳ３Ｂ及び４Ｂを除けば、基本的動作は図５及び図８において説明した動作と同様であり、上述の説明によって明らかである。
ステップＳ３Ｂ及び４Ｂ並びにこれに適合した処理を行うステップＳ５は、第３実施例固有の処理形態である。
【００６０】
ステップＳ３Ｂにおいては、ステップＳ２後の処理として、ＲＤＳ受信系Ｒ３からの地域コードの取り込みをなす。これにより制御部６０´´は、現在受信位置を認識することができる。
次に制御部６０´´は、その地域コードに変更が生じたか否かを判別する（ステップＳ４Ｂ）。この処理は、前回取り込んだ地域コードと今回取り込んだ地域コードとの比較によってなされる。
【００６１】
地域コードに変更があれば、ネットワークフォロー対象の放送局情報を更新させるべく、メモリ７０の記憶内容に基づいたフォロー対象局の選択処理のためのメモリ検索を行い（ステップＳ５）、変更がなければメモリ検索処理を飛び越してステップＳ６の選局処理へと移行する。
第３実施例におけるステップＳ５の処理について詳述すると、いま、現在受信しているテレビ放送波の周波数が図１０に示されるＡ２であった場合を考える。この場合、メモリ７０の記憶内容から当該テレビ放送波がネットワーク局αに属していることが認識される。したがって、制御部６０´´は、Ａ２以外にもネットワーク局αの番組を提供する放送波の周波数Ｃ５，Ｅ１，Ｆ７，Ｈ３だけを読み取ることができ、これらを全て、ネットワークフォローのためのステップＳ６の選局処理の対象として選択することが可能である。
【００６２】
しかし本実施例ではさらに、受信品質が高い可能性のもの或いは確実に受信できる可能性のものだけを選局処理の対象とすべく、取り込んだ地域コードに基づいてこれら代替周波数Ｃ５，Ｅ１，Ｆ７，Ｈ３の中からさらなる条件を満たしたものだけを選択している。
すなわち、変更後の地域コードが例えば“３２５”であったときには、この“３２５”が示す位置により近い送信位置（より具体的には、“３２５”が示す送信位置からの送信波を受信できる位置（これが受信機の現在位置とみなされる）から受信できると目される送信波を提供する送信位置）を示す地域コードに対応している周波数をメモリ７０の記憶内容から選択するのである。この場合、このような条件を満たす送信位置が例えば地域コード“３２５”、“３ＤＢ”であれば、制御部６０´´は、これらに対応する周波数Ｃ５、Ｆ７を選択し、これらをネットワークフォロー対象局情報とする。
【００６３】
かくして、第３実施例においては、ＲＤＳ受信系Ｒ３がＴＶ受信系Ｒ２に組み合わされ、予めテレビジョン放送におけるネットワーク局毎にテレビジョン信号の周波数情報とその送信地域コードとを記憶しておき、ＲＤＳ受信系Ｒ３から得た地域コードに基づいて受信可能なテレビジョン信号の周波数情報を認識するようにしている。これにより、本来ＲＤＳにおける受信制御等にしか使われていなかった地域コードを活用して的確かつ簡単にしてテレビジョン放送のネットワークフォローを実現することができる。
【００６４】
なお、これまでは、ＤＡＢシステム、ナビゲーションシステム及びＲＤＳといったシステムに本発明を適用した例を説明したが、こうした既知のシステムに限らず他のシステム、例えば日本国内において実施されているＦＭ多重放送波を受信する放送受信機にも本発明は適用可能である。
【００６５】
【発明の効果】
本発明によれば、簡単にしてテレビジョン放送波に対するネットワークフォロー機能を発揮させることのできる放送受信機を提供することができる。
【図面の簡単な説明】
【図１】本発明による第１実施例の放送受信機の概略構成を示すブロック図である。
【図２】ＤＡＢシステムにおいて割り当てられるＴＩＩの概念図である。
【図３】図１の放送受信機において実現可能な、ＴＩＩ毎のＤＡＢ信号の周波数とテレビジョン信号の周波数との記憶形態を示すデータマップである。
【図４】図１の放送受信機におけるメモリマップである。
【図５】図１の受信機における制御部が実行するテレビネットワークフォローの処理手順を示すフローチャートである。
【図６】本発明による第２実施例の放送受信機の概略構成を示すブロック図である。
【図７】図６の放送受信機におけるメモリマップである。
【図８】図６の受信機における制御部が実行するテレビネットワークフォローの処理手順を示すフローチャートである。
【図９】本発明による第３実施例の放送受信機の概略構成を示すブロック図である。
【図１０】図９の放送受信機におけるメモリマップである。
【図１１】図９の受信機における制御部が実行するテレビネットワークフォローの処理手順を示すフローチャートである。
【符号の説明】
Ｒ１  ＤＡＢ受信系
１０  ＤＡＢチューナ部
２０  ＤＡＢ信号処理部
３０  音声デコーダ
４０  Ｄ／Ａ変換器
５０  同期回路
６０，６０´，６０´´  制御部
７０  メモリ
Ｒ２  テレビジョン受信系
１００  ＴＶチューナ部
２００  ビデオ再生回路
２０１  ＶＩＦアンプ
３００  音声再生回路
３０１  ＦＭ検波回路
４００  電界強度検出回路
Ｎ１  ナビゲーションシステム
５０１  角速度センサ
５０２  走行距離センサ
５０３  ＧＰＳ
５０４  ＣＤ−ＲＯＭドライブ
５０５  ナビゲーションシステム制御部
５０６  画像及び音声再生回路
Ｒ３  ＲＤＳ受信系
１０Ｂ  ＲＤＳチューナ部
２０Ｂ  ＩＦ増幅器
３０Ｂ  ＦＭ検波器
４０Ｂ  ステレオ復調回路
５０Ｂ  ＲＤＳ信号検出回路
【図１】
0003690777.tif 000002
【図２】
0003690777.tif 000003
【図３】
0003690777.tif 000004
【図４】
0003690777.tif 000005
【図５】
0003690777.tif 000006
【図６】
0003690777.tif 000007
【図７】
0003690777.tif 000008
【図８】
0003690777.tif 000009
【図９】
0003690777.tif 000010
【図１０】
0003690777.tif 000011
【図１１】
0003690777.tif 000012